Podtech/llm-jp-corpus-v4-ja_patent huggingface dataset:
【手続補正書】
【提出日】平成17年3月2日(2005.3.2)
【手続補正１】
【補正対象書類名】明細書
【補正対象項目名】００１８
【補正方法】変更
【補正の内容】
【００１８】
機械捲縮機により機械捲縮を施した後、繊維を押込捲縮機から取り出すが、このとき押込捲縮機から取り出した繊維を冷却して繊維温度を４０℃以下、特に２０〜３０℃とすることが好ましい。かかる温度で冷却することにより、捲縮形態を強固に保持することができる。冷却条件は、繊維がほぼ常温レベルまで急冷させるのが好ましく、具体的には冷却用の気体をネット上等の繊維に吹付ける方法、ネット上の捲縮繊維をネットの下面から空気吸引して冷却する方法等が挙げられる。
【手続補正２】
【補正対象書類名】明細書
【補正対象項目名】００３０
【補正方法】変更
【補正の内容】
【００３０】
該繊維を収束して厚みが均一なトウを形成させた後、所望の繊維温度と実質的に同温度の乾熱ローラー（予熱ローラー速度５０ｍ／分）により乾熱予熱処理して繊維温度（予熱温度）を８０℃とし、これをニップローラーを有する機械捲縮機に導入して機械捲縮処理を行い、捲縮機から導き出された繊維（捲縮温度＝予熱温度−５℃）を２５℃の冷風で急冷して繊維温度（冷却温度）を２５℃とした。該繊維を切断装置で長さ５１ｍｍに切断して水溶性ＰＶＡ系捲縮繊維を製造した。結果を表１に示す。なお表中、予熱温度は予熱処理後の繊維の繊維温度、冷却温度は冷却処理を施した後の繊維温度を示す。
【手続補正３】
【補正対象書類名】明細書
【補正対象項目名】００３３
【補正方法】変更
【補正の内容】
【００３３】
【表１】
2000192328.tif 000001
【手続補正書】
【提出日】平成16年3月16日(2004.3.16)
【手続補正１】
【補正対象書類名】明細書
【補正対象項目名】発明の名称
【補正方法】変更
【補正の内容】
【発明の名称】日避帽子及びその骨組


【手続補正２】
【補正対象書類名】明細書
【補正対象項目名】特許請求の範囲
【補正方法】変更
【補正の内容】
【特許請求の範囲】
【請求項１】
シート材で形成された帽子本体を頭部に支持する日避帽子の骨組において、方形の透孔が長手方向へ梯子状に連続する軟質合成樹脂製の帯状骨材を用いて所定の長さに切断しその両端を周り寸法可変に連結して輪状の鉢巻骨部材を形成するとともに、前記帯状骨材を所定の長さに切断して形成した複数の張出骨部材を前記鉢巻骨部材の複数箇所に径方向外側に湾曲させるように脱着可能に取り付けたことを特徴とする日避帽子の骨組。
【請求項２】
張出骨部材の両端部の透孔を帯状骨材の他の透孔よりも長寸の長方形に形成し、前記両端部を鉢巻骨部材の透孔の外側から内側に挿通し更に隣接する透孔の外側に挿通して掛着する構成としたことを特徴とする請求項１の日避帽子の骨組。
【請求項３】
前記張出骨部材の透孔が略正方形であり、該張出骨部材の両端部の仕切骨を取り除くことにより帯状骨材の両端部の透孔が他の透孔よりも長寸の長方形に形成されていることを特徴とする請求項２の日避帽子の骨組。
【請求項４】
前記帯状骨材の両端が伸縮可能な弾性調整手段で連結されていることを特徴とする請求項１〜３のいずれか一項の日避帽子の骨組。
【請求項５】
請求項１〜４のいずれか一項の日避帽子の骨組の各張出骨部材の長手方向中央に位置する透孔に挿通されたＨ形の繋着部材を帽子本体の掛止孔に挿通することにより、前記日避帽子の骨組みに帽子本体が取り付けられていることを特徴とする日避帽子。
【手続補正書】
【提出日】平成17年10月26日(2005.10.26)
【手続補正１】
【補正対象書類名】明細書
【補正対象項目名】０００２
【補正方法】変更
【補正の内容】
【０００２】
【従来技術】
従来、内燃機関等に使用されるシリンダー用スリーブを鋳造により製造する場合には、図６に図示されるように、スリーブ01の軸方向に沿ってパーティングライン03を設け、このパーティングライン03を通るように鋳型02（図６においては、下型のみが図示されている。）の割面Ａを設定して、中子09を用いて製造されていた。なお、このパーティングライン03は、スリーブ01を軸方向に沿って半割にする仮想平面上にある。
【手続補正書】
【提出日】平成16年2月12日(2004.2.12)
【手続補正１】
【補正対象書類名】明細書
【補正対象項目名】特許請求の範囲
【補正方法】変更
【補正の内容】
【特許請求の範囲】
【請求項１】
メインバルブと可動バルブの双方を開いた状態で排気口を通じて真空容器の排気を行い、
ガス導入バルブを開いてガス導入管から真空容器内にガス導入し、
排気口の可動バルブを徐々に閉めて真空容器内の圧力を所定の圧力に調整し、
排気口のメインバルブとガス導入管のガス導入バルブを同時に閉じ、さらに
電圧を印加してターゲット上にプラズマを形成して、ターゲットに対向して保持される基板上に薄膜を成膜させる手順を備えたスパッタリング方法。
【請求項２】
真空容器内に基板とターゲットを対向するように配置し、ターゲット表面上に形成したプラズマ中のイオンによってターゲットをスパッタリングし、基板上に薄膜を形成するスパッタリング方法において、真空容器内へのガスの導入を遮断するとともに真空容器の排気を遮断して成膜する状態と、真空容器内にガスを導入するとともに排気する状態とを交互に変化させながら薄膜を形成することを特徴とするスパッタリング方法。
【請求項３】
メインバルブと可動バルブの双方を開いた状態で排気口を通じて真空容器の排気を行い、
ガス導入バルブを開いてガス導入管から真空容器内にガス導入し、
排気口の可動バルブを徐々に閉めて真空容器内の圧力を所定の圧力に調整し、
排気口のメインバルブとガス導入管のガス導入バルブを同時に閉じ、
電圧を印加してターゲット上にプラズマを形成して、ターゲットに対向して保持される基板上に薄膜を成膜させ、
排気口のメインバルブとガス導入管のガス導入バルブを同時に開いて真空容器内にガスが導入されると同時に真空容器が排気され、
メインバルブと導入管を同時に開閉する動作を所定回数繰り返す際に、メインバルブと導入管の両方が開いた状態の時に薄膜が成膜される手順を備えたスパッタリング方法。
【請求項４】
真空容器内に基板とターゲットを対向するように配置し、ターゲット表面上に形成したプラズマ中のイオンによってターゲットをスパッタリングし、基板上に薄膜を形成するスパッタリング装置において、真空容器内を真空排気する排気口を開閉するメインバルブと真空容器にガスを導入するガス導入管を開閉するガス導入バルブとを、成膜時に大略同期して開閉制御する手段を設けたことを特徴とするスパッタリング装置。
【手続補正２】
【補正対象書類名】明細書
【補正対象項目名】０００８
【補正方法】変更
【補正の内容】
【０００８】
【課題を解決するための手段】
本願の第１発明のスパッタリング方法は、メインバルブと可動バルブの双方を開いた状態で排気口を通じて真空容器の排気を行い、ガス導入バルブを開いてガス導入管から真空容器内にガス導入し、排気口の可動バルブを徐々に閉めて真空容器内の圧力を所定の圧力に調整し、排気口のメインバルブとガス導入管のガス導入バルブを同時に閉じ、さらに電圧を印加してターゲット上にプラズマを形成して、ターゲットに対向して保持される基板上に薄膜を成膜させる手順を備えたことを特徴とするものであり、薄膜形成中の真空容器内のガス流れに伴う圧力の不均一が解消し、基板上に形成する薄膜の膜厚を均一・対称にすることができる。


【手続補正３】
【補正対象書類名】明細書
【補正対象項目名】００２６
【補正方法】変更
【補正の内容】
【００２６】
【発明の効果】
本願の第１発明のスパッタリング方法によれば、真空容器内へのガスの導入を遮断するとともに真空容器の排気を遮断した状態で薄膜を形成するので、薄膜形成中の真空容器内のガス流れに伴う圧力の不均一が解消し、基板上に形成する薄膜の膜厚を均一・対称にすることができる。
【手続補正書】
【提出日】平成16年8月5日(2004.8.5)
【手続補正１】
【補正対象書類名】明細書
【補正対象項目名】００１７
【補正方法】変更
【補正の内容】
【００１７】
前部ケーシング１４内には、キー１９（図５及び図６）により回動可能かつ軸方向に移動可能に配置されたキーシリンダ２１と、キーシリンダ２１の前部においてケーシング２０に固定されたカバー２５と、キーシリンダ２１の前部に回動可能に取り付けられかつキーシリンダ２１にキー１９を挿入するとき回動されてカバー２５に対し反力を加えてキーシリンダ２１をカバー２５から分離する方向に移動させるキー検知レバー２６と、前部ケーシング１４内の外側位置と内側位置との間で軸方向に移動可能に配置されると共に、キーシリンダ２１を回転可能かつ軸方向に移動可能に収容する空洞部２４ａ及びキーシリンダ２１のタンブラ２７が突出するタンブラ溝２４ｂを備えたハウジングケース２４と、ハウジングケース２４をカバー２５に向かって押圧するハウジングスプリング２８（図２）と、カバー２５とキーシリンダ２１との間に配置されたガードプレート２９とを備えている。ガードプレート２９は硬質金属で半月形に形成され、回転可能に配置されるが、軸方向には移動しない。ガードプレート２９はキー１９を挿入する開口部２９ａが形成される。ガードプレート２９は、キーシリンダ２１のキー溝内に不正に工具が挿入されたとき、工具の侵入を阻止する働きがある。
【手続補正２】
【補正対象書類名】明細書
【補正対象項目名】００２９
【補正方法】変更
【補正の内容】
【００２９】
キー１９は、キーシリンダ２１と共にＳＴＡＲＴ位置に回転されエンジンを始動した後、ＯＮ位置、ＡＣＣ位置を通じてＬＯＣＫ位置に戻される。ＬＯＣＫ位置にてキー１９をキーシリンダ２１から引き抜くと、ハウジングスプリング２８の付勢力によってハウジングケース２４及びキーシリンダ２１が軸方向前方に移動され、図１及び図２に示す初期の位置に戻されると共に、キー検知レバー２６の内端部２６ｃはキー溝内に突出する。このように、キー１９がキーシリンダ２１から抜き取られるとき、ハウジングスプリング２８はキーシリンダ２１、ハウジングケース２４及びロータ２２をカバー２５に向かって移動すると共に、キー検知レバー２６を回動させる作用がある。これと同時に、連結手段１６によりハウジングケース２４に連結されたロータ２２も軸方向に移動されるので、ピン４２とロータ２２のフランジ部２２ｂとの係合が解除され、ハンガスプリング４１の付勢力によってハンガ４０及びロッキングロッド１８はアンロック位置からロック位置に付勢される。
【手続補正３】
【補正対象書類名】明細書
【補正対象項目名】符号の説明
【補正方法】変更
【補正の内容】
【符号の説明】
１０．．ステアリングロック装置、  １１．．ケーシングユニット、  １２．．シリンダユニット、  １３．．後部ケーシング、  １４．．前部ケーシング、  １５・・嵌合部、  １６・・連結手段、  １７・・係合手段、  １８・・ロッキングロッド、  １９・・キー、  ２０・・ケーシング、  ２１・・キーシリンダ、  ２１ｂ・・解放孔、  ２２・・ロータ、  ２３・・カム、  ２４・・ハウジングケース、  ２４ａ・・空洞部、  ２４ｂ・・タンブラ溝、  ２５・・カバー、  ２６・・キー検知レバー、  ２７・・タンブラ、  ２８・・ハウジングスプリング、  ３０・・フック部、  ３１・・円弧状突部、  ３２・・切欠部、  ３３・・アーム部、  ３４・・爪部、  ３５・・ステム、  ３６・・ステムスプリング、  ３７・・係止孔、  ３８・・窪み、  ４０・・ハンガ、  ４１・・ハンガスプリング、  ４２・・ピン、
【手続補正書】
【提出日】平成16年6月4日(2004.6.4)
【手続補正１】
【補正対象書類名】明細書
【補正対象項目名】特許請求の範囲
【補正方法】変更
【補正の内容】
【特許請求の範囲】
【請求項１】
窓開口部に装着される金属製枠と該金属製枠の屋内側露出部分を覆う樹脂製枠とを備えた窓枠において、
上記樹脂製枠はその屋内側端部に四周に渡って立ち上がり片を備え、
上記窓開口部に装着される金属製枠に対し、上記樹脂製枠はその内周部から各々取付けるものであって、一方に設けた係止部に他方に設けた係止片を係止すると共に、上記立ち上がり片よりも屋外側の内周面側から四周各々ねじ固定してなることを特徴とする窓枠。
【請求項２】
窓開口部に装着される金属製枠と該金属製枠の屋内側露出部分を覆う樹脂製枠とを備えた窓枠において、
上記樹脂製枠はその屋内側端部に四周に渡って立ち上がり片を備え、
上記金属製枠はその内周面側に係止部を備え、上記樹脂製枠は上記金属製枠の係止部に係合する係止片を備えると共に、上記金属製枠の内周面側から該金属製枠に対し四周各々ねじ固定される固定部とを備え、該固定部は四周に渡って上記立ち上がり片よりも屋外側に位置することを特徴とする窓枠。
【手続補正２】
【補正対象書類名】明細書
【補正対象項目名】０００５
【補正方法】変更
【補正の内容】
【０００５】
【課題を解決するための手段】
上記目的を達成するため請求項１記載の本発明は、窓開口部に装着される金属製枠と該金属製枠の屋内側露出部分を覆う樹脂製枠とを備えた窓枠において、上記樹脂製枠はその屋内側端部に四周に渡って立ち上がり片を備え、上記窓開口部に装着される金属製枠に対し、上記樹脂製枠はその内周部から各々取付けるものであって、一方に設けた係止部に他方に設けた係止片を係止すると共に、上記立ち上がり片よりも屋外側の内周面側から四周各々ねじ固定してなることを特徴として構成される。
【手続補正３】
【補正対象書類名】明細書
【補正対象項目名】０００６
【補正方法】変更
【補正の内容】
【０００６】
上記目的を達成するため請求項２記載の本発明は、窓開口部に装着される金属製枠と該金属製枠の屋内側露出部分を覆う樹脂製枠とを備えた窓枠において、上記樹脂製枠はその屋内側端部に四周に渡って立ち上がり片を備え、上記金属製枠はその内周面側に係止部を備え、上記樹脂製枠は上記金属製枠の係止部に係合する係止片を備えると共に、上記金属製枠の内周面側から該金属製枠に対し四周各々ねじ固定される固定部とを備え、該固定部は四周に渡って上記立ち上がり片よりも屋外側に位置することを特徴として構成されている。
【手続補正４】
【補正対象書類名】明細書
【補正対象項目名】０００７
【補正方法】削除
【補正の内容】
【手続補正５】
【補正対象書類名】明細書
【補正対象項目名】００１８
【補正方法】削除
【補正の内容】
【手続補正６】
【補正対象書類名】明細書
【補正対象項目名】００１９
【補正方法】削除
【補正の内容】
【手続補正７】
【補正対象書類名】明細書
【補正対象項目名】００２０
【補正方法】削除
【補正の内容】
【手続補正８】
【補正対象書類名】明細書
【補正対象項目名】００２２
【補正方法】変更
【補正の内容】
【００２２】
【発明の効果】
以上のように請求項１記載の本発明によれば、テラス窓や出窓等において、窓開口部に装着される金属製枠に対し樹脂製枠を四周に渡って内周部側から取付け、内周面側からねじ止めするようにしたことから、窓枠を窓開口部に設置した状態のままで、固定ねじを取り外すだけで四周に渡る樹脂製枠のみの交換を可能とし、その結果、複合製の窓枠のメンテナンス性を向上することができるという効果がある。また、樹脂製枠に四周に渡って設けられる立ち上がり片よりも屋外側でねじ止めすることにより、樹脂製枠のねじ止め部分が屋内側に露出しないので、窓枠の装飾性を損なうことが無いという効果がある。
【手続補正９】
【補正対象書類名】明細書
【補正対象項目名】００２３
【補正方法】削除
【補正の内容】
【手続補正１０】
【補正対象書類名】明細書
【補正対象項目名】図面の簡単な説明
【補正方法】変更
【補正の内容】
【図面の簡単な説明】
【図１】  本発明の窓枠を適用した引き違い窓の屋内側から見た横断面図である。
【図２】  図１の縦断面図である。
【図３】  窓障子を取り外した状態における図１対応の横断面図である。
【図４】  窓障子を取り外した状態における図２対応の縦断面図である。
【符号の説明】
Ａ    窓開口部
１    窓枠
２    アルミ枠
３    樹脂枠
４    ねじ
５    孔
６    ねじ
７    ねじ
１０    窓障子
１１    框体
１２    複層ガラス
１３    アルミ框
１４    樹脂框
２１    アルミ上枠
２２    アルミ下枠
２３、２４  アルミ縦枠
３１    樹脂上枠
３２    樹脂下枠
３３、３４  樹脂縦枠
４０    化粧縁
Ｃ    溝
【手続補正１１】
【補正対象書類名】図面
【補正対象項目名】図５
【補正方法】削除
【補正の内容】
【手続補正１２】
【補正対象書類名】図面
【補正対象項目名】図６
【補正方法】削除
【補正の内容】
【手続補正１３】
【補正対象書類名】図面
【補正対象項目名】図７
【補正方法】削除
【補正の内容】
【手続補正書】
【提出日】平成17年8月8日(2005.8.8)
【手続補正１】
【補正対象書類名】明細書
【補正対象項目名】特許請求の範囲
【補正方法】変更
【補正の内容】
【特許請求の範囲】
【請求項１】
外輪及び内輪及び複数の転動体を有する転がり軸受において、外輪及び内輪が導電性材料で構成され、且つ転動体が導電性セラミックスで構成されることを特徴とする転がり軸受。
【請求項２】
前記外輪及び内輪がステンレス鋼で構成され、且つ前記転動体が導電性セラミックスで構成されることを特徴とする請求項１に記載の転がり軸受。
【請求項３】
前記外輪及び内輪及び転動体が導電性セラミックスで構成されることを特徴とする請求項１に記載の転がり軸受。
【請求項４】
前記導電性セラミックスが、ＴｉＮセラミックス又はＺｒＯ2 ／ＴｉＮ複合セラミックスであることを特徴とする請求項１乃至３の何れか一項に記載の転がり軸受。
【手続補正書】
【提出日】平成16年3月25日(2004.3.25)
【手続補正１】
【補正対象書類名】明細書
【補正対象項目名】特許請求の範囲
【補正方法】変更
【補正の内容】
【特許請求の範囲】
【請求項１】
ころおよび保持器からなり、前記保持器は板状で円環状に形成されて円周方向の複数箇所にポケットを有し、前記各ポケットに針状のころを転動自在に収容したスラスト針状ころ軸受において、保持器のポケット内の側面に保持器半径方向に並んで複数設けられるころ案内部を、運転状態におけるころの軸方向中央位置に対して対称となるように配置したことを特徴とするスラスト針状ころ軸受。
【請求項２】
軌道輪と、この軌道輪に転接するころと、保持器からなり、前記保持器は板状で円環状に形成されて円周方向の複数箇所にポケットを有し、前記各ポケットに針状のころを転動自在に収容したスラスト針状ころ軸受において、保持器のポケット内の側面に保持器半径方向に並んで複数設けられるころ案内部を、運転状態におけるころの軸方向中央位置に対して対称となるように配置したことを特徴とするスラスト針状ころ軸受。
【請求項３】
前記各ポケット内の両側面に、各々複数のころ止め用突起を保持器半径方向に並べて設け、これら複数のころ止め用突起を、運転状態におけるころの軸方向中央位置に対して対称となるように配置した請求項１または請求項２記載のスラスト針状ころ軸受。
【請求項４】
前記保持器が一枚絞りの鋼板プレス製保持器であって、平板環状部の内周縁および外周縁に、板厚方向に屈曲した円筒状の屈曲片を有し、かつ平板環状部の径方向の中間部分が、前記屈曲片と同じ方向に突出した断面台形状のカウンタシンク形状の中央環状突部に形成され、前記各ポケットは前記中央環状突部およびその両側の平板環状部にわたって成形され、ポケット内面における前記中央環状突部の上底部と、その両側の平板環状部とにころ止め用突起が設けられ、ポケット内面における前記中央環状突部の両側の斜辺部が前記ころ案内部となる請求項１ないし請求項３のいずれかに記載のスラスト針状ころ軸受。
【請求項５】
前記運転状態におけるころは、前記ポケットの外径側端にころ端面が当接した状態である請求項１ないし請求項５のいずれかに記載のスラスト針状ころ軸受。【請求項６】ころおよび保持器からなり、前記保持器は板状で円環状に形成されて円周方向の複数箇所にポケットを有し、前記各ポケットに針状のころを転動自在に収容したスラスト針状ころ軸受において、保持器のポケット内の側面に保持器半径方向に並んで複数設けられるころ案内部の位置を、ポケットの長さ寸法と、ころの全長との差のほぼ１／２の寸法だけ、ポケットの長さ方向の中央位置から外径側に偏った位置としたことを特徴とするスラスト針状ころ軸受。
【手続補正２】
【補正対象書類名】明細書
【補正対象項目名】０００８
【補正方法】変更
【補正の内容】
【０００８】
この発明において、前記運転状態におけるころは、前記ポケットの外径側端にころ端面が当接した状態であってもよい。
この発明における他のスラスト針状ころ軸受は、ころおよび保持器からなり、前記保持器は板状で円環状に形成されて円周方向の複数箇所にポケットを有し、前記各ポケットに針状のころを転動自在に収容したスラスト針状ころ軸受において、保持器のポケット内の側面に保持器半径方向に並んで複数設けられるころ案内部の位置を、ポケットの長さ寸法と、ころの全長との差のほぼ１／２の寸法だけ、ポケットの長さ方向の中央位置から外径側に偏った位置としたことを特徴とする。
【手続補正書】
【提出日】平成16年11月19日(2004.11.19)
【手続補正１】
【補正対象書類名】明細書
【補正対象項目名】０００８
【補正方法】変更
【補正の内容】
【０００８】
このようにフライホイールが振れると、図５に示すように、クラッチパイロット軸受も微小ではあるが、軸線方向に倒れるような振れを生じる。ところが、図６に示す従来技術によるクラッチパイロット軸受４０は、内輪の内周面４０ａが円筒状となっているため、かかる振れに応じて、クラッチパイロット軸受４０の内周面４０ａの両端部４０ｂと、インプットシャフト１０４の外周面１０４ａとが強く擦れ合うこととなる。
【手続補正２】
【補正対象書類名】明細書
【補正対象項目名】０００９
【補正方法】変更
【補正の内容】
【０００９】
かかる擦れにより、内周面４０ａの両端部４０ｂが摩耗すると、インプットシャフト１０４がより傾くようになり、従って他端に設けられたインプットシャフト軸受１０６の負担が大きくなって、エッジロードはくりや異音や早期摩耗等の問題が生じる。従って、クラッチパイロット軸受４０は、摩耗の限度を超える前に早期に交換する必要が生じている。ところが、クラッチパイロット軸受４０を交換するためには、トランスミッションをエンジンから切り離すというきわめて手間のかかる作業が必要となる。
【手続補正３】
【補正対象書類名】明細書
【補正対象項目名】００１９
【補正方法】変更
【補正の内容】
【００１９】
図３に示す実施の形態によれば、内周面３０ａがクラウニング形状を有するので、内輪３０内にインプットシャフト１０４が挿入された状態で、フライホイール１０７の振れに応じて内輪３０が傾いた場合でも、内周面３０ａとインプットシャフト１０４の外周面とは、強く当たることがなくなり、それにより内輪３０の摩耗を極力防止することができる。また、インプットシャフト１０４の傾きは抑止されるので、インプットシャフト軸受１０６の負担も軽減でき、その寿命を延長することもできる。
【手続補正４】
【補正対象書類名】図面
【補正対象項目名】図１
【補正方法】変更
【補正の内容】
【図１】
2000192950.tif 000001
【手続補正書】
【提出日】平成16年11月18日(2004.11.18)
【手続補正１】
【補正対象書類名】明細書
【補正対象項目名】請求項１
【補正方法】変更
【補正の内容】
【請求項１】
Ｎビットの２進組合せからなるビデオ及び／又はオーディオブロックの系列を、一つのビデオ及び／又はオーディオブロックに対応してＮビットの２進組合せにより構成された各２進データブロックの系列に変換するディジタル符号器において、
端の２進組合せの性質０又は２N-1 を表わす性質情報項目（Ｉｎ）と、上記端の２進組合せが上記ビデオ及び／又はオーディオブロック内で占有する位置を表わす位置情報項目（Ｉｐ）とからなる符号化２進組合せの形式に、各ビデオ及び／又はオーディオブロックの各端の２進組合せ０又は２N-1 を符号化する手段により構成されることを特徴とする符号器。
【手続補正書】
【提出日】平成16年10月15日(2004.10.15)
【手続補正１】
【補正対象書類名】明細書
【補正対象項目名】特許請求の範囲
【補正方法】変更
【補正の内容】
【特許請求の範囲】
【請求項１】
（ａ）軸の周りを回転するように配置されている少なくとも１つのテープリールと、（ｂ）このテープリールに巻き付け可能な所定の長さの記録テープとを含み、ハウジングを有するテープカートリッジに用いるテープ駆動機構であって、
基準面を有するシャーシと、
予備位置から動作位置まで前記ハウジングを移動させるための、前記シャーシに取り付けられている機構と、
信号を前記テープから再生し及び／又は信号をテープに記録するための、前記シャーシに取り付けられている読み出し及び／又は書き込みトランスデューサと、
前記テープリールから前記トランスデューサを介して前記テープを長手方向に移動させるための、前記シャーシに取り付けられている移動機構と、
前記テープリールと前記トランスデューサの間で前記シャーシに取り付けられているテープガイドであって、（ａ）前記テープリールと前記トランスデューサの間の経路上で前記テープを案内するガイド部分と、（ｂ）前記カートリッジハウジングが前記動作位置にある場合に、前記カートリッジハウジングと係合する位置合わせ部分と、（ｃ）当該テープガイドが取り付けられている取り付け部分を含み、前記ガイド部分、前記位置合わせ部分、取り付け部分がともに固定されているテープガイドと、
前記取り付け部分を前記シャーシと結合させるための構造であって、
前記カートリッジハウジングが前記動作位置に接近する際、前記カートリッジハウジングが、前記位置合わせ部分と係合し、前記テープガイドを前記基準面に向けて移動させ及び、
前記カートリッジハウジングが前記動作位置に達すると、前記基準面に対する前記ガイド部分の位置が、（ａ）前記位置合わせ部分に対する前記ガイド部分の固定された位置、（ｂ）前記位置合わせ部分及びそれと係合する前記カートリッジハウジングの、前記基準面に対する位置によって画定され、それによって前記ガイド部分が前記テープカートリッジに対して整列されるようにする構造と
を含むテープ駆動機構。
【請求項２】
前記テープガイドのガイド部分が、前記テープの一方の面と係合する表面を有し、及び少なくとも１つのフランジを有して前記テープの一方のエッジと係合する請求項１記載のテープ駆動機構。
【請求項３】
前記テープガイドのガイド部分が、前記テープの一方の面と係合する表面を有し、及び２つのフランジを有して前記テープの両方のエッジと係合する請求項１記載のテープ駆動機構。
【請求項４】
前記結合させるための構造が、前記テープガイドを前記基準面から離すように付勢する圧縮バネを含み、前記カートリッジハウジングが前記動作位置に接近すると、前記位置合わせ部分が前記カートリッジハウジングと係合することに応じて、前記基準面の方に押しつけられる請求項１記載のテープ駆動機構。
【請求項５】
前記結合させるための構造が前記シャーシによって固定して担持されているピンを含み、前記取り付け部分が該ピンの周りに嵌合されているスリーブを含み、該スリーブが前記シャーシから離れた前記バネの第１端部と係合する肩部を有し、前記バネが前記基準面に対して固定されている面と該肩部の間に設けられ、前記スリーブが前記位置合わせ部分をもたらす端面を有する請求項４記載のテープ駆動機構。
【請求項６】
前記結合させるための構造が前記シャーシによって固定して担持されているピンを含み、前記取り付け部分が該ピンの周りに嵌合されているスリーブを含み、前記スリーブが前記位置合わせ部分をもたらす端面を有する請求項１記載のテープ駆動機構。
【手続補正書】
【提出日】平成16年12月13日(2004.12.13)
【手続補正１】
【補正対象書類名】明細書
【補正対象項目名】特許請求の範囲
【補正方法】変更
【補正の内容】
【特許請求の範囲】
【請求項１】
テープ駆動モータの速度を加速する開始段階、該テープ駆動モータを一定の速度に調整する中間段階、及び該テープ駆動モータを制動により停止状態にする停止段階を有するレコーダにより、再生モードでテープ状の記録媒体の信号を再生する方法であって、
早くも該開始段階の間に該テープ駆動モータの速度及び加速度のうちの１つを測定し、予め決定可能な所望の値からの偏差が生じた場合に、該テープ駆動モータの速度を補正する加速度の変更を達成するための該テープ駆動モータへの対応する最大励起電流を決定するステップと、
該最大励起電流を記憶し、該最大励起電流に基づいて該テープ駆動モータの加速度を制御するステップと、
変更された状態が生じた場合に、対応する最大励起電流を決定し、該最大励起電流の新たな値を記憶するステップとを備え、
予め決定可能な所望の特性からの該テープ駆動モータの速度の偏差が生じた場合に、実際の速度特性が該所望の特性に近似されるように、１以上の加速度の変更が最大の励起電流において行われる、
を備えることを特徴とする方法。
【請求項２】
該測定するステップは、所定の時間窓の間に行われる、
請求項１記載の方法。
【請求項３】
該予め決定可能な所望の特性からの該テープ駆動モータの速度の偏差が生じた場合に、実際の速度特性が該時間窓の間に該所望の特性に近似されるように１以上の加速度の変更が最大の励起電流において行われる、
請求項２記載の方法。
【請求項４】
テープ状の記録媒体への記録及び／又は該テープ状記録媒体からの再生のためのレコーダであって、該レコーダは、スローモーション再生及び／又はフリーズ・フレーム再生のうちの少なくとも１つの特殊な動作モードを有し、
テープ駆動を加速する開始段階、該テープ駆動を一定の速度に調整する中間段階、及び該テープ駆動を制動により停止状態にする停止段階により、該テープ駆動の加速度を制御する作用可能なサーボ回路に接続されるテープ駆動モータを備え、
該サーボ回路は、早くも該開始段階の間に該テープ駆動の速度及び加速度のうちの１つを感知し、予め決定可能な所望の値からの偏差が生じた場合に、該テープ駆動を相応して補正する加速度の変更を行うために該テープ駆動モータへの電流レベルを変更し、
該サーボ回路は、予め決定可能な所望の値を達成するために必要とされる電流レベルを記憶し、変更された状態が生じた場合に新たな値をさらに決定して記憶する、
ことを特徴とするレコーダ。
【手続補正書】
【提出日】平成17年9月12日(2005.9.12)
【手続補正１】
【補正対象書類名】明細書
【補正対象項目名】００３９
【補正方法】変更
【補正の内容】
【００３９】
そして、適宜、濃度キャリブレーションを復活させる旨の指示があったか否かをチェックし（ステップ２０７）、濃度キャリブレーションを復活させる旨の指示があった場合には、次の新しいフィルムパックがセットされたときに、通常どおりの濃度キャリブレーションを行う（ステップ２０７，ステップ２０１，ステップ２０２，ステップ２０３）。
【手続補正書】
【提出日】平成17年9月9日(2005.9.9)
【手続補正１】
【補正対象書類名】明細書
【補正対象項目名】００１４
【補正方法】変更
【補正の内容】
【００１４】
図１に、本発明の感熱記録装置の一例の断面を概念図を示す。
感熱記録装置１０は、例えば、半切サイズ等の所定のサイズの感熱記録フィルムＦ（以下、フイルムＦという）等の感熱記録材料に感熱画像記録を行うもので、装填部１２と、供給搬送部１６と、サーマルヘッド１８によってフィルムＦに感熱画像記録を行う記録部２０と、排出トレイ２２とを有して構成される。
【手続補正２】
【補正対象書類名】明細書
【補正対象項目名】００１６
【補正方法】変更
【補正の内容】
【００１６】
供給搬送部１６は、装填部１２に装填されたマガジン２４からフィルムＦを取り出して、記録部２０へ搬送するものであって、吸引によってフィルムＦを吸着する吸盤３０を用いる枚葉機構、搬送ローラ対３２、搬送ガイド３４、クリーニングローラ対３６、および図示しない開閉機構等を有する。
【手続補正３】
【補正対象書類名】明細書
【補正対象項目名】符号の説明
【補正方法】変更
【補正の内容】
【符号の説明】
１０  感熱記録装置
１２  装填部
１６  供給搬送部
１８  サーマルヘッド１８
２０  記録部
２２  排出トレイ
２４  マガジン
２６  蓋体
２８  挿入口
３０  吸盤
３２，４０，４２  搬送ローラ対
３４  搬送ガイド
３６  クリーニングローラ対
３８  プラテンローラ
４４  排出ローラ対
４６  コモン（配線）パターン
４８  電源
５０，５２  コネクタ
５４  補正データ記憶部
５６  画像処理部
５８  画像メモリ
６０  記録制御部
Ｅ  スイッチ素子
Ｇ  グランド
Ｈ  発熱素子
Ｒ  発熱抵抗体
【手続補正書】
【提出日】平成16年2月26日(2004.2.26)
【手続補正１】
【補正対象書類名】明細書
【補正対象項目名】請求項３
【補正方法】変更
【補正の内容】
【請求項３】
前記被研磨物保持部材の一方の研磨部材および他方の研磨部材に対する傾きを調整可能とした請求項１又は２記載の研磨方法。
【手続補正２】
【補正対象書類名】明細書
【補正対象項目名】０００５
【補正方法】変更
【補正の内容】
【０００５】
【問題点を解決するための手段】
上記の目的を達成するためにこの発明による被研磨物の研磨方法は、被研磨物の一方の面を被研磨物保持部材で保持した状態で一方の面側の面取り部を一方の研磨部材で研磨し、この後、被研磨物の他方の面側の面取り部を他方の研磨部材で研磨するようにした手段を採用したものである。また、被研磨物の一方の面を被研磨物保持部材で保持し、この状態で被研磨物の一方の面取り部を一方の研磨部材で研磨し、この後、被研磨物保持部材及び一方の研磨部材と他方の研磨部材との間を移動させて被研磨物の他方の面取り部を他方の研磨部材で研磨するようにした手段を採用したものである。さらに、前記被研磨物保持部材の一方の研磨部材および他方の研磨部材に対する傾きを調整可能とした手段を採用したものである。さらに、被研磨物の一方の面を一方の被研磨物保持部材に保持し、この状態で被研磨物の一方の面取り部を一方の研磨部材で研磨し、この後、被研磨物を一方の被研磨物保持部材から外すとともに、被研磨物の一方の面を他方の被研磨物保持部材で保持し直し、この状態で被研磨物の他方の面取り部を他方の研磨部材で研磨する手段を採用したものである。さらに、前記一方の被研磨物保持部材の一方の研磨部材に対する傾き、及び前記他方の被研磨物保持部材の他方の研磨部材に対する傾きを調整可能とした手段を採用したものである。
また、この発明による研磨装置は、内面の少なくとも一部が研磨面に形成された一方の研磨部材と、該一方の研磨部材との間を移動可能かつ回転可能に設けられるとともに、先端部に被研磨物の一方の面を保持可能な被研磨物保持部材と、該被研磨物保持部材との間を移動可能かつ回転可能に設けられるとともに、内面の少なくとも一部が研磨面に形成された他方の研磨部材とを具えた手段を採用したものである。さらに、内面の少なくとも一部が研磨面に形成される一方の研磨部材と、該一方の研磨部材との間を移動可能かつ回転可能に設けられるとともに、先端部に被研磨物の一方の面を保持可能な被研磨物保持部材と、前記一方の研磨部材及び前記被研磨物保持部材との間を移動可能かつ回転可能に設けられるとともに、内面の少なくとも一部が研磨面に形成された他方の研磨部材とを具えた手段を採用したものである。さらに、前記被研磨物保持部材の前記一方の研磨部材及び他方の研磨部材に対する傾きを調整可能とした手段を採用したものである。さらに、内面の少なくとも一部が研磨面に形成された一方の研磨部材と、該一方の研磨部材との間を移動可能かつ回転可能に設けられるとともに、先端部に被研磨物の一方の面を保持可能な一方の被研磨物保持部材と、内面の少なくとも一部が研磨面に形成される他方の研磨部材と、該他方の研磨部材との間を移動可能かつ回転可能に設けられるとともに、先端部に被研磨物の一方の面を保持可能な他方の被研磨物保持部材とを具えた手段を採用したものである。さらに、前記一方の被研磨物保持部材の前記一方の研磨部材に対する傾き、及び前記他方の被研磨物保持部材の前記他方の研磨部材に対する傾きを調整可能とした手段を採用したものである。


【手続補正３】
【補正対象書類名】明細書
【補正対象項目名】０００７
【補正方法】変更
【補正の内容】
【０００７】
【発明の実施の形態】
以下、図面に示すこの発明の実施の形態について説明する。
図１及び図２には、この発明による研磨装置の第１の実施の形態が示されている。
この実施の形態に示す研磨装置は、シリコンウエハ等の円板状の被研磨物２５を保持する被研磨物保持部材１７と、被研磨物２５の外周部の面取り部２６、２７（図１０参照）を研磨する一方の研磨部材１と他方の研磨部材１０とを具えている。


【手続補正４】
【補正対象書類名】明細書
【補正対象項目名】００９４
【補正方法】変更
【補正の内容】
【００９４】
そして、上下移動部材７２を作動させて被研磨物保持部材６５を下降させ、被研磨物２５の外周部のうちの下面側の面取り部２６を一方の研磨部材４１の研磨部４２の研磨パッド４６に当接させて押圧する。
【手続補正書】
【提出日】平成17年9月2日(2005.9.2)
【手続補正１】
【補正対象書類名】明細書
【補正対象項目名】００３９
【補正方法】変更
【補正の内容】
【００３９】
図８に、記録中の帯電電界E1、吐出データ112及びインク液滴着弾位置703との関係を示す。横軸は時刻を表す。また、t0, t1, t2, ...は、用紙502がｙ軸方向に１格子分(dy)進むのに要する時間であり、これをドット周期とよぶ。本例では偏向段数n＝4なので、更にこれらドット周期を１/ｎ(=１/４)にした偏向ドット周期t00, t01, t02, t03, t10, t11, t12, t13, t20, t21, ...を定義する。帯電電界E1は、前記したように共通電極401、402にかかる交流電圧Vchgを変化させることによって制御できる。その結果、図示するような階段状のノコギリ波形を作る。
【手続補正２】
【補正対象書類名】明細書
【補正対象項目名】００４０
【補正方法】変更
【補正の内容】
【００４０】
図８において、時間t00における帯電電界E1の時に、吐出データ112は、格子上の(x3,y0)のデータがノズル孔201の圧電素子に加えられる。そのときのノズル孔201とインク液滴着弾位置703を下図に示す。時間t00の時は、ノズル列方向302と直交方向右側に偏向し、ｙ方向走査線x3上に着弾すると、ちょうどその着弾位置703は格子点(x3,y0)になっている。次に、時間t01では、帯電電界E1が図のように変化し、吐出データ112が(x2,y0)になると、用紙502もy方向に1/4格子分(dy/4)進むので、着弾位置703は下図左から２つ目のように着弾位置703がちょうど格子点(x2,y0)になる。同様に時間t02, t03の場合も、用紙502がy方向に1/4格子分(dy/4)ずつ進むので、着弾位置703は、うまく格子点上に落ちる。さらに時間t10以降も、前記t00〜t03の過程を繰り返すことにより結果的に全ての格子点を記録することが可能となる。
【手続補正３】
【補正対象書類名】図面
【補正対象項目名】図８
【補正方法】変更
【補正の内容】
【図８】
2002036566.tif 000001
【手続補正書】
【提出日】平成16年3月5日(2004.3.5)
【手続補正１】
【補正対象書類名】明細書
【補正対象項目名】特許請求の範囲
【補正方法】変更
【補正の内容】
【特許請求の範囲】
【請求項１】
ベース材（２）に離型剤（３）を塗布しその上にルミネッセンス素材インキ（４）を印刷して接着剤（６）を以って被覆して構成される、ブラックライトの照射によって、輝度を持った発色を呈する機能を保有する、ルミネッセンス素材インキを用いた転写箔。
【請求項２】
転写箔（１）のルミネッセンス素材インキ（４）を接着剤（６）に均一に分散した組成物（７）を離型剤（３）の表面に印刷した構成となる請求項１のルミネッセンス素材インキを用いた転写箔。
【請求項３】
カラーグラビアインキ（５）に被覆されたルミネッセンス素材インキ（４）を用いて構成される、請求項１のルミネッセンス素材インキを用いた転写箔。
【手続補正２】
【補正対象書類名】明細書
【補正対象項目名】０００７
【補正方法】変更
【補正の内容】
【０００７】
図２に示すように転写箔（１）のベースとなるＰＥＴ材（２）の表面にシリコーンを主成分とした離型剤（３）を塗布し、その一部又は全面にルミネッセンス素材インキ（４）及びカラーグラビアインキ（５）を印刷し、最後に接着剤（６）塗布し、転写箔（１）を構成する。
【手続補正書】
【提出日】平成16年6月25日(2004.6.25)
【手続補正１】
【補正対象書類名】明細書
【補正対象項目名】特許請求の範囲
【補正方法】変更
【補正の内容】
【特許請求の範囲】
【請求項１】
光透過性支持体上にインク受容層を設けたインクジェット記録材料において、該記録材料表面の水との接触角が１３〜３５度でアマニ油との接触角が８〜２０度であることを特徴とするインクジェット記録材料。
【請求項２】
前記インク受容層が親水性ポリマーとＨＬＢ価が３〜８の界面活性剤とを含有していることを特徴とする請求項１に記載のインクジェット記録材料。
【手続補正書】
【提出日】平成17年10月26日(2005.10.26)
【手続補正１】
【補正対象書類名】明細書
【補正対象項目名】請求項１
【補正方法】変更
【補正の内容】
【請求項１】  支持体上に、少なくとも感光性樹脂層と保護フィルムとをこの順に有する感光性樹脂材料から、前記保護フィルムを剥離し、前記感光性樹脂層をラミネーションローラーでラミネートして基板に転写する樹脂積層体の製造方法において、
（ａ）前記基板の表面温度が１１０℃〜１３０℃、
（ｂ）前記感光性樹脂材料のバックテンションが１０Ｎ以上、
（ｃ）前記ラミネーションローラの圧力が１ＭＰａ以上、
（ｄ）前記ラミネーションローラと前記感光性樹脂材料とのラップ角が１０°以上、
の条件で、前記感光性樹脂材料を前記基板にラミネートすることを特徴とする樹脂積層体の製造方法。
【手続補正２】
【補正対象書類名】明細書
【補正対象項目名】００１０
【補正方法】変更
【補正の内容】
【００１０】
【課題を解決するための手段】
本発明は、支持体上に、少なくとも感光性樹脂層と保護フィルムとをこの順に有する感光性樹脂材料から、前記保護フィルムを剥離し、前記感光性樹脂層をラミネーションローラーでラミネートして基板に転写する樹脂積層体の製造方法において、（ａ）前記基板の表面温度が１１０℃〜１３０℃、（ｂ）前記感光性樹脂材料のバックテンションが１０Ｎ以上、（ｃ）前記ラミネーションローラの圧力が１ＭＰａ以上、（ｄ）前記ラミネーションローラと前記感光性樹脂材料とのラップ角が１０°以上、の条件で、前記感光性樹脂材料を前記基板にラミネートすることを特徴とする樹脂積層体の製造方法にある。
【手続補正３】
【補正対象書類名】明細書
【補正対象項目名】００３６
【補正方法】変更
【補正の内容】
【００３６】
本発明において、樹脂積層体の製造方法は、転写工程において、上記感光性樹脂材料から保護フィルムを除去した後に、（ａ）上記基板の表面温度を１１０℃〜１３０℃、（ｂ）上記感光性樹脂材料のバックテンションを１０Ｎ以上、（ｃ）上記ラミネーションローラの圧力を１ＭＰａ以上、（ｄ）上記ラミネーションローラと上記感光性樹脂材料とのラップ角を１０°以上の条件で上記感光性樹脂材料を上記基板にラミネートすることを特徴とする。
【手続補正４】
【補正対象書類名】明細書
【補正対象項目名】００８５
【補正方法】変更
【補正の内容】
【００８５】
【発明の効果】
本発明によれば、（ａ）基板の表面温度を１１０℃〜１３０℃、（ｂ）感光性樹脂材料のバックテンションを１０Ｎ以上、（ｃ）ラミネーションローラの圧力を１ＭＰａ以上、（ｄ）ラミネーションローラと感光性樹脂材料とのラップ角を１０°以上、の条件で感光性樹脂材料を基板にラミネートすることで、転写の際樹脂積層体に気泡が混入するのを抑制することができる。これにより、高速でラミネートをおこなっても高精度の樹脂積層体を製造することが可能な樹脂積層体の製造方法を提供することができる。さらに、経時変化の生じた感光性樹脂材料も気泡混入することなく高速でラミネートすることができる。
【手続補正書】
【提出日】平成16年4月8日(2004.4.8)
【手続補正１】
【補正対象書類名】明細書
【補正対象項目名】特許請求の範囲
【補正方法】変更
【補正の内容】
【特許請求の範囲】
【請求項１】
移動自在のカーソルを表示可能な表示画面を有する電子装置のキーボード構造体において、
キーボード支持構造体と、
該キーボード支持構造体に支持され、該キーボード支持構造体に対して、伸展した使用位置と収縮した格納／搬送位置との間で第１の方向に移動する、相互に隔置された一連のキーと、
該一連のキーと関連して設けられ、これらキーを伸展した使用位置へ向けて弾性的に付勢する弾性手段と、
カーソルの表示位置を選択的に変更するための信号を発生するカーソル位置決め手段であって、複数のキーの間に位置決めされ且つ外側方向へ伸長し、伸展した使用位置と収縮した格納／搬送位置との間で第１の方向にシフト移動されるように支持されている、手動操作を受けるポイント・スティック装置を備えたカーソル位置決め手段と、
該ポイント・スティック装置を、伸展した使用位置と収縮した格納／搬送位置との間で、選択的且つ強制的にシフトさせるシフト手段と
を備えたことを特徴とするキーボード構造体。
【請求項２】
移動自在のカーソルを表示可能な表示画面を有する電子装置のコラプシブル・キーボード構造体において、
最上面及び最下面を有するキー支持構造体と、
各々が該キー支持構造体の最上面に支持されて、該最上面に対して、伸展した位置と収縮した位置との間で、垂直方向にキーストローク距離を移動する一連のキーと、
キー支持構造体の直下に支持され、該キー支持構造体の最下面に対向する最上面を有するベース構造体と、
該ベース構造体の最上面に配置された一連の隔置された弾性を有するキー・リターン部材であって、キー・リターン部材がキーの下に位置して該キーを伸展した位置に弾性的に保持する第１の位置と、キー・リターン部材が該キー・リターン部材を垂直方向に変形することなしにキーが伸展した位置から収縮した位置へ移動するのを可能する第２の位置との間で、キー支持構造体及びベース構造体が互いに水平方向にシフト自在となる、キー・リターン部材と、
キー及びベース構造体上の協動的な係合手段であって、ベース構造体及びキー支持構造体が第１の位置から第２の位置へシフトされるのに応答して、キーを伸展した位置から収縮した位置へ強制的に押しやる係合手段と、
カーソルの表示位置を選択的に変更するための信号を発生するカーソル位置決め手段であって、複数のキーの間に配置され且つ外側方向に伸長して手動操作を受けるポイント・スティック装置を備えたカーソル位置決め手段と
を含み、
該ポイントス・ティック装置は、キー支持構造体及びベース構造体へ接続されて、該ベース構造体及びキー支持構造体がそれぞれ第１及び第２の位置へシフトされるのに応答して、上方に伸展した位置と下方に収縮した位置との間をシフトされるように構成されている
ことを特徴とするキーボード構造体。
【請求項３】
携帯用コンピュータにおいて、
最上面を有するベース・ハウジング部と、
該ベース・ハイジング部の最上面を横断して伸長し且つ該最上面を覆う閉じた位置と、該最上面を露出する開いた位置との間で、ベースハウジング部に対して枢動移動自在に固定されている蓋ハウジング部であって、移動自在のカーソルを表示する表示画面を備えている蓋ハウジング部と、
該蓋ハウジング部の最上面に沿って伸長するコラプシブルのキーボード構造体であって、
キー支持構造体と、
該キー支持構造体に支持され、該キー支持構造体に対して、伸展した位置と収縮した位置との間でキー・ストローク方向に移動する一連のキーと、
複数のキーの間に位置決めされ且つ外側方向へ伸長し、伸展した位置と収縮した位置との間で垂直方向に移動可能な手動操作を受けるポイント・スティック装置を備えたカーソル位置制御手段と、
蓋ハウジング部の閉じた位置への移動に応答して、キー及びポイント・スティック装置を収縮した位置へ移動させ、かつ、蓋ハウジング部の開いた位置への移動に応答して、キー及びポイント・スティック装置を伸展した位置へ移動させるシフト手段と
を備えたことを特徴とするキー構造体と
からなることを特徴とする携帯用コンピュータ。
【手続補正書】
【提出日】平成16年4月9日(2004.4.9)
【手続補正１】
【補正対象書類名】明細書
【補正対象項目名】特許請求の範囲
【補正方法】変更
【補正の内容】
【特許請求の範囲】
【請求項１】
透過データ・トリガされるパイプライン・ラッチであって、
ａ）ハイおよびロー・レベルのマウストラップ・データ入力と、
ｂ）ハイおよびロー・レベルのマウストラップ・データ出力と、
ｃ）ハイおよびロー・レベルのマウストラップ・データ記憶ノードと、
ｄ）クロック入力と、
ｅ）ハイおよびロー・レベルのマウストラップ・データの制御であって、該制御の各々は、それぞれのハイまたはロー・レベルのマウストラップ・データ入力、出力、および記憶ノードとに接続され、各々の制御は、
i）該制御のデータ入力によって操作される入力トリガと、
ii）対照となる該制御のデータ記憶ノードに対してされたクロスオーバ接続を介して操作される入力トリガ禁止手段と、
iii）該制御のデータ記憶ノードと該制御のデータ出力手段の間に接続されたデータ記憶装置と、
iv）前記クロック入力によって操作されるリセット機構と、
v）該制御のデータ入力によって操作されるリセット禁止手段と、
を有する前記制御と、
を備える透過データ・トリガされるパイプライン・ラッチ。
【請求項２】
セルフ・タイムされたダイナミック論理パイプラインであって、  ａ）第１および第２の論理ブロックであって、各々が少なくとも１つのアーミング機構に連結しているセルフ・タイムされたダイナミック論理を含む、前記第１および第２の論理ブロックと、
ｂ）第１および第２クロック信号であって、
i）前記第１および第２論理ブロックのアーミング機構にそれぞれ発送され、
ii）次のＡ）とＢ）を行うように第１のクロックと第２のクロックとが切り替えられ、
Ａ）前記第２の論理ブロックが評価期間を与えられるとき、前記第１の論理ブロックは予充電期間を与えられ、
Ｂ）前記第１の論理ブロックが評価期間を与えられるとき、前記第２の論理ブロックは予充電期間を与えられ、
iii）前記第２のクロック信号は、前記第２の論理ブロックで前記評価期間を開始するための第１のエッジと、前記第２の論理ブロックで前記予充電期間を開始する第２のエッジと、を有し、
ｃ）前記第１の論理ブロックの論理出力からの論理入力を有するラッチであって、入力は前記第２のクロック信号のためであり、論理出力は前記第２の論理ブロックの論理入力に接続され、前記ラッチは、更に、
i）前記第１の論理ブロックから受信したセルフ・タイムされたデータを記憶する記憶手段と、
ii）前記第２のクロック信号の前記第１のエッジに先立ち、前記記憶手段によって、前記セルフ・タイムされたデータの受信を可能にするリセット手段と、
iii）前記第１の論理ブロックから前記セルフ・タイムされたデータを受信した後、前記記憶手段によるデータの受信を禁止する禁止手段と、
iv）前記第２のクロック信号の前記第１のエッジに先立ち、前記記憶手段に記憶されているセルフ・タイムされたデータを第２の論理ブロックの論理に転送する転送手段であって、前記第１および第２のクロック信号から独立して稼働している前記転送手段と、を有する前記ラッチと、
を備えるセルフ・タイムされたダイナミック論理パイプライン。
【請求項３】
交互に評価されるダイナミック論理パイプラインの第１および第２の論理ブロック間でデータを転送する方法であって、前記パイプラインは、前記第１および第２の論理ブロック間のデータ・フローを制御する複数のラッチを含み、前記方法は、前記第１の論理ブロックに与えられた評価期間の間、
ａ）同時に、
i）前記第１の論理ブロックのデータ入力に存在するデータを評価し、
ii）前記複数のラッチをリセットする、ステップと、
ｂ）前記第１の論理ブロックから出力される有効なデータとして、前記複数のラッチの１番目をトリガするステップと、
ｃ）前記複数のラッチの１番目をトリガするステップの直後に、多くの有効なデータ信号を第２の論理ブロックに提供し、前記多数の有効なデータ信号は、前記複数のラッチの２番目の出力から発生し、前記複数のラッチの２番目は、前記複数のラッチの１番目のサブセットである、ステップと、
ｄ）前記多数の有効なデータ信号を無効信号でＡＮＤすることによって、前記多数の有効なデータ信号の伝播を停止するステップと、
を有する前記方法。
【手続補正書】
【提出日】平成16年3月12日(2004.3.12)
【手続補正１】
【補正対象書類名】明細書
【補正対象項目名】特許請求の範囲
【補正方法】変更
【補正の内容】
【特許請求の範囲】
【請求項１】
携帯型コンピュータを主周辺部品相互接続（ＰＣＩ）バスを介してドッキング・ステーションにホットドッキングするための装置であって、
前記主ＰＣＩに結合されてドッキング状態を検出し、ドッキング信号ピンの結合のために前記携帯型コンピュータおよび前記ドッキング・ステーションを準備するためのドッキング・シーケンサと、
前記ドッキング・ステーションの前記主ＰＣＩバスと前記携帯型コンピュータの第２のＰＣＩバスとの間で信号を交換するＰＣＩ−ＰＣＩブリッジと、
前記ＰＣＩ−ＰＣＩブリッジを前記主ＰＣＩバスに取り外すことができるようにして結合するためのコネクタと、
前記主ＰＣＩバスに結合されて前記ＰＣＩ−ＰＣＩブリッジへのリセット信号及びクロック信号を発生する制御器と、
前記制御器に結合されて前記ＰＣＩ−ＰＣＩブリッジを構成し、前記ＰＣＩ−ＰＣＩブリッジに結合されている装置を識別し、前記携帯型コンピュータがドッキングされた時に追加の資源のオペレーティングシステムに通知するハンドラーと
を備えた前記装置。
【手続補正書】
【提出日】平成16年5月28日(2004.5.28)
【手続補正１】
【補正対象書類名】明細書
【補正対象項目名】請求項３１
【補正方法】変更
【補正の内容】
【請求項３１】
前記画像表現がその後に利用されないならば、ノードで画像表現は生成されないか、又は前記ノードの親ノードに画像表現が戻されない請求項２７乃至３０のいずれかに記載の装置。